(57)【要約】【課題】  片手で簡単に持ち運ぶことができ、また、容易に設置することができると共に省スペース化が可能な運搬具を提供する。【解決手段】  本発明は、運搬対象物１２を支持可能なように形成された支持部６，７と、支持部６，７に支持された運搬対象物１２より外側に配置されるように形成された把持部２４とを備えており、把持部２４を把持し、支持部６，７に支持された運搬対象物１２を運搬者の腕と身体の間に挟み込んだ状態で運搬可能なように構成されていることを特徴とする。【選択図】  図１
2006298446.tif 000002
【特許請求の範囲】
【請求項１】
運搬対象物を支持可能なように形成された支持部と、
該支持部に支持された運搬対象物より外側に配置されるように形成された把持部と、
を備えており、該把持部を把持し、前記支持部に支持された運搬対象物を運搬者の腕と身体の間に挟み込んだ状態で運搬可能なように構成されていることを特徴とする運搬具。
【請求項２】
前後に平行に設けられた垂直フレーム部材を備えており、前記支持部は前記各垂直フレーム部材の下端において内側に折曲して形成され、前記把持部は前記各垂直フレーム部材に渡設された水平把持部材に設けられている請求項１に記載の運搬具。
【請求項３】
前記水平把持部材は前記各垂直フレーム部材に沿って上下に摺動可能に設けられている請求項２に記載の運搬具。
【請求項４】
前記各垂直フレーム部材には、外側に傾動可能なスタンド部材が設けられている請求項２又は３に記載の運搬具。
【請求項５】
前記各垂直フレーム部材の上端部に水平フレーム部材が渡設されており、該水平フレーム部材の中央部と前記各支持部の先端部には、それぞれ、掛止部が設けられている請求項２〜４のいずれか１の請求項に記載の運搬具。
【発明の詳細な説明】
【技術分野】
【０００１】
本発明は、運搬具に関し、特に、サーフボードのような幅広の物を運搬者の腕と身体の間に挟みこんだ状態で運搬可能なように構成された運搬具に関する。
【背景技術】
【０００２】
従来、大型のサーフボード等、幅広の物は、片手で持つことができないため、両手で抱え込んだり、或いは頭部に載せて両手で支えたりして持ち運んでいた。（公知・公用の従来技術に基づき発明したため、出願人は本発明に関連する先行技術文献を知らない。）
【発明の開示】
【発明が解決しようとする課題】
【０００３】
しかしながら、上記した従来の運搬方法では、非常に持ち難く、また、両手を使用するため、運搬効率が悪いといった問題があった。
【０００４】
また、大型のサーフボードのような幅広の物は、自宅や駐車場、或いはビーチに平置きにすると、広いスペースが必要になると共に、その表面に傷が付くおそれがあるといった問題があり、また、立て掛けて置くためには、壁等、そのための支持部がないとできないといった問題があった。
【０００５】
さらに、サーフボードの場合、サーファーが起立するデッキ面に滑り止めワックスを塗布するが、このワックスは夏季時等に太陽光が照射すると容易に溶解する性質を有しているため、デッキ面を上側に向けてサーフボードをビーチ等の外部に置いておくと、折角塗布したワックスが溶解するおそれがある一方、デッキ面を下側にしてビーチに置いておくと、デッキ面のワックスに砂が付着するといた問題があった。
【０００６】
本発明は、上記した課題を解決すべくなされたものであり、片手で簡単に持ち運ぶことができ、また、容易に設置することができると共に省スペース化が可能な運搬具を提供しようとするものである。
【課題を解決するための手段】
【０００７】
本発明は、運搬対象物を支持可能なように形成された支持部と、該支持部に支持された運搬対象物より外側に配置されるように形成された把持部とを備えており、該把持部を把持し、前記支持部に支持された運搬対象物を運搬者の腕と身体の間に挟み込んだ状態で運搬可能なように構成されていることを特徴とする。
【０００８】
そして、好ましくは、前後に平行に設けられた垂直フレーム部材を備えており、前記支持部は前記各垂直フレーム部材の下端において内側に折曲して形成され、前記把持部は前記各垂直フレーム部材に渡設された水平把持部材に設けられているのがよい。
【０００９】
また、前記水平把持部材は前記各垂直フレーム部材に沿って上下に摺動可能に設けられていてもよい。
【００１０】
さらに、前記各垂直フレーム部材には、外側に傾動可能なスタンド部材が設けられていてもよい。
【００１１】
さらにまた、前記各垂直フレーム部材の上端部に水平フレーム部材が渡設されており、該水平フレーム部材の中央部と前記各支持部の先端部には、それぞれ、掛止部が設けられていてもよい。
【発明の効果】
【００１２】
本発明によれば、運搬対象物を片手で簡単に持ち運ぶことができ、運搬効率の向上を図ることができる。
【００１３】
また、運搬対象物を、設置場所の状況に合わせて置くことができ、さらに、省スペース化を図ることができる等、種々の優れた効果を得ることができる。
【発明を実施するための最良の形態】
【００１４】
以下、図１〜図４を参照しつつ、本発明の実施の形態について説明する。なお、以下の説明では、本発明に係る運搬具をサーフボードの運搬に適用した場合について、例示して説明する。ここで、図１は本発明の実施の形態に係る運搬具を示す斜視図、図２は運搬具を示す側面図、図３は運搬具にサーフボードを装着した状態を示す斜視図、図４は運搬具に吊り紐を装着した状態を示す斜視図である。
【００１５】
本実施の形態に係る運搬具１は、前後に平行に配設された垂直フレーム部材２，３及び各垂直フレーム部材２，３の上端部に渡設された水平フレーム部材４により門型に形成された本体部５と、各垂直フレーム部材２，３の下端において内側に折曲して形成された支持部６，７と、各垂直フレーム部材２，３の中間部に渡設された水平把持部材８と、各垂直フレーム部材２，３の上端部を支点に外側に傾動可能に設けられたスタンド部材９とを主体に構成されている。そして、運搬具１の高さは３０ｃｍ程度あれば良いため、全体的にコンパクト化を図ることができる。
【００１６】
各垂直フレーム部材２，３は、それぞれ、縦長のアルミニウム製板状部材から構成されており、各垂直フレーム部材２，３には、それぞれ、上下方向に縦孔１０，１１が穿設されている。そして、各垂直フレーム部材２，３の上端部内側には、サーフボード１２の表面に当接可能なように弾性材料製のサーフボード支持用パッド１３，１４がそれぞれ内側に突設されている。また、水平フレーム部材４は、横長のアルミニウム製板状部材から構成されており、その両端部には丸孔状の第１掛止部１５，１６がそれぞれ穿設され、中央部には外側下方に折曲されて鉤状を成す第２掛止部１７が設けられている。
【００１７】
各支持部６，７は、細長のアルミニウム製平板をＵ字状に折曲させた形状を成し、その先端部には丸孔状の第３掛止部１８，１９がそれぞれ穿設され、各支持部６，７の下端部には、弾性材料製の運搬具支持用パッド２０，２１が下方に突設されている。
【００１８】
水平把持部材８は、細長のアルミニウム製丸棒部材から構成されており、その両端部は各縦孔１０，１１に沿ってそれぞれ上下に摺動可能なように設けられ、固定位置調整具２２を締め付けることにより各垂直フレーム部材２，３の所望位置に固定されるようになっている。また、水平把持部材８の中央部は外側に僅かに折曲しており、この折曲部２３には弾性材料製で円筒状の把持部２４が取付けられている。そして、この折曲部２３の外側への折曲長さＬ（図２参照）は、把持部２４を把持した時に、運搬具１に支持されたサーフボード１２に手が当たらないような寸法、例えば、２ｃｍ程度であるのが好ましい。
【００１９】
スタンド部材９はアルミニウム製であり、前後一対の脚部２５，２６と、各脚部２５，２６の下端部を連結する連結部２７とから構成されており、各脚部２５，２６の下端部には弾性材料製の脚部支持用パッド３２，３３が取付けられている。そして、各脚部２５，２６は、その上端部が各垂直フレーム部材２，３の上端部に枢設され、傾動角度調整具２８を締め付けることにより、各垂直フレーム部材２，３に対して所望角度、傾斜した状態で固定されるようになっている。
【００２０】
次に、本実施の形態に係る運搬具１の使用方法について説明する。
【００２１】
図３に示すように、横向きに立て掛けた姿勢のサーフボード１２を、下方から各支持部６，７によりバランス良く支持させると共に、ゴム製ベルト３１を第２掛止部１７及び各第３掛止部１８，１９に掛止させ、運搬具１に固定する。この時、サーフボード１２は、その外面が弾性材料製のサーフボード支持用パッド１３，１４に当接しているため、運搬具１に確実且つ傷を負うことなく固定される。また、この時、スタンド部材９の脚部２５，２６は各垂直フレーム部材２，３に沿って閉じた状態で固定させておく。
【００２２】
このようにサーフボード１２を運搬具１に固定した状態で、運搬者が運搬具１の内側（図３の紙面垂直方向手前側）に立ち、サーフボード１２を運搬者の腕と身体の間に挟み込むようにして把持部２４を把持すると、サーフボード１２を安定性良く、片手で容易に運搬することができる。この時、把持部２４は外側に僅かに突出しており、サーフボード１２と把持部２４との間には、把持するのに最適な隙間が形成されるため、把持動作を容易且つ確実に行うことができる。また、サーフボード１２の運搬時、前後の支持部６，７の間に運搬者の身体が入り、運搬者の足が支持部６，７に接触したりするおそれがないため、運搬者は円滑にサーフボード１２を運搬することができる。さらに、サーフボード１２の上端部２９が脇の下にピッタリ収まるように、予め、固定位置調整具２２により水平把持部材８の取付け高さを調整することにより、サーフボード１２を、一層安定性良く、容易に運搬することができる。
【００２３】
次いで、サーフボード１２を所定場所に運搬したら、傾動角度調整具２８によりスタンド部材９の脚部２５，２６を外側に所要角度傾動させた状態で固定させ、サーフボード１２を脚部２５，２６と運搬具支持用パッド２０，２１により設置面に支持させる。この場合、サーフボード１２は、脚部２５，２６と運搬具支持用パッド２０，２１により四点支持されると共に、脚部支持用パッド３２，３３及び運搬具支持用パッド２０，２１により運搬具１の設置面に対する滑りが防止されるため、サーフボード１２は運搬具１に支持された状態で、安定性良く、設置面に置くことができる。また、運搬具１を設置面に置く時の衝撃は運搬具支持用パッド２０，２１及び脚部支持用パッド３２，３３により確実に吸収されるため、サーフボードを保護することができる。さらに、運搬具１をビーチに設置する場合、運搬具支持用パッド２０，２１が設けられている分、支持部６，７が砂に埋没する可能性が低くなるため、サーフボード１２の下端に砂が付着するのを防止することができる。
【００２４】
また、この時、傾動角度調整具２８により、スタンド部材９の開き角度を自由に調整することができるため、サーフボード１２を設置するスペースの広さ等の状況に応じて、サーフボード１２を置くことができる。さらに、図４に示すように、第１掛止部１５，１６に吊り紐３０を装着し、その吊り紐３０を壁に取り付けた引っ掛け金具（図示せず）に掛止したり、或いは、第１掛止部１５，１６を直接、前記引っ掛け金具に掛止したりすることにより、サーフボード１２の設置場所のさらなる省スペース化を図ることができる。さらにまた、サーフボード１２を運搬する時に、図４に示すように、第１掛止部１５，１６に装着した吊り紐３０を肩に掛けてもよく、これにより、運搬中のサーフボード１２の安定性を一段と向上させることができると共に、運搬効率を向上させることができる。
【００２５】
なお、図５及び図６に示すように、水平把持部材８の垂直位置を調整することにより、縦向きのサーフボード１２の接水面側に取り付けられたフィン３４を引っ掛け、サーフボードを立てかけることもできる。この場合、サーフボード１２を縦向きに設置することができるため、一段と省スペース化を図ることが可能となる。また、この場合、垂直フレーム部材２，３を上下に伸縮可能なように構成し、サーフボード１２を縦向きに設置する際には、垂直フレーム部材２，３を上方に伸長し、水平フレーム部材４の高さを高くし、
第１掛止部１５及び第２掛止部１６にゴム製ベルト３６を掛止することにより、サーフボード１２を運搬具１だけで安定性良く支持することが可能となる。
【００２６】
また、本発明に係る運搬具１の各構成は、上記した実施の形態において説明した材質や形状に限定されるものではなく、各種変更が可能である。
【００２７】
さらに、上記した実施の形態においては、サーフボード１２を運搬する場合について説明したが、これは単なる例示に過ぎず、本発明は、例えば、ガラス板やベニヤ板等、他の運搬対象物を運搬する場合にも適用可能であることは言う迄もない。
【図面の簡単な説明】
【００２８】
【図１】本発明の実施の形態に係る運搬具を示す斜視図である。
【図２】本発明の実施の形態に係る運搬具を示す側面図である。
【図３】本発明の実施の形態に係る運搬具にサーフボードを横向きに装着した状態を示す斜視図である。
【図４】本発明の実施の形態に係る運搬具に吊り紐を装着した状態を示す斜視図である。
【図５】本発明の実施の形態に係る運搬具にサーフボードを縦向きに装着した状態を示す背面図である。
【図６】本発明の実施の形態に係る運搬具にサーフボードを縦向きに装着した状態を示す側面図である。
【符号の説明】
【００２９】
１          運搬具
２          垂直フレーム部材
３          垂直フレーム部材
４          水平フレーム部材
６          支持部
７          支持部
８          水平把持部材
９          スタンド部材
１２        サーフボード
１７        第２掛止部
１８        第３掛止部
１９        第３掛止部
２４        把持部
【図１】
2006298446.tif 000003
【図２】
2006298446.tif 000004
【図３】
2006298446.tif 000005
【図４】
2006298446.tif 000006
【図５】
2006298446.tif 000007
【図６】
2006298446.tif 000008